(57)【特許請求の範囲】
【請求項１】
液晶表示パネルのグレースケール電圧の補正方法であって、
前記液晶表示パネルは、交流駆動方式を採用するとともに、
共通電極と、
前記共通電極と向かい合って設置された複数の画素電極と、からなり、
前記共通電極には共通電圧を印加し、
任意の位置点の座標をｘで表わすとき、座標ｘの前記画素電極にはグレースケール値と対応するグレースケール電圧Ｖ（ｘ）を印加し、
前記グレースケール電圧Ｖ（ｘ）は、正極性グレースケール電圧Ｖｐ（ｘ）と負極性グレースケール電圧Ｖｎ（ｘ）とを備え、
前記グレースケール電圧Ｖ（ｘ）の補正方法は、
前記共通電極における前記共通電圧の実電圧分布Ｖｃｏｍ（ｘ）を取得する共通電極実電圧分布取得手順と、
前記実電圧分布Ｖｃｏｍ（ｘ）に基づいて、各前記画素電極の前記正極性グレースケール電圧Ｖｐ（ｘ）と前記負極性グレースケール電圧Ｖｎ（ｘ）をそれぞれ補正するグレースケール電圧補正手順と、を備え、
前記共通電極実電圧分布取得手順では、
前記共通電極上の基準位置点Ｏを選択し、前記基準位置点Ｏの座標をμで表わし、
前記基準位置点Ｏの前記共通電圧Ｖｃｏｍ（μ）及び前記基準位置点Ｏと向かい合う基準画素電極上の前記正極性グレースケール電圧Ｖｐ（μ）と前記負極性グレースケール電圧Ｖｎ（μ）を調整することによって、前記基準画素電極が対応する最適な共通電圧Ｖｃｏｍ（μ）と、最適な正極性グレースケール電圧Ｖｐ（μ）と、最適な負極性グレースケール電圧Ｖｎ（μ）とを取得し、
前記基準位置点Ｏの前記共通電圧Ｖｃｏｍ（μ）が前記最適な共通電圧となった状態で、前記基準位置点Ｏ以外のその他の位置点の前記共通電圧の実電圧値Ｖｃｏｍ（ｘ）を確定し、
前記確定した前記共通電圧の電圧分布Ｖｃｏｍ（ｘ）を記憶装置に記憶し、
前記グレースケール電圧補正手順は、
前記共通電極における前記基準画素電極以外のその他の画素電極に向かい合う位置の前記共通電圧の実電圧値Ｖｃｏｍ（ｘ）に基づいて、
各前記画素電極上の補正後の正極性グレースケール電圧Ｖｐ（ｘ）'と、前記共通電極における各前記画素電極に向かい合う位置の前記共通電圧Ｖｃｏｍ（ｘ）と、の間の階差と、
各前記画素電極上の補正後の負極性グレースケール電圧Ｖｎ（ｘ）'と、前記向かい合う位置の前記共通電圧Ｖｃｏｍ（ｘ）と、の間の階差と、を同じにする手順であって、
前記記憶装置に記憶された前記共通電圧の電圧分布Ｖｃｏｍ（ｘ）を呼び出し、
前記基準位置点Ｏ以外のその他の位置点の前記共通電圧の電圧分布Ｖｃｏｍ（ｘ）に基づいて、前記基準画素電極以外の前記その他の各画素電極のグレースケール電圧補正値Ｃｐ（ｘ）およびＣｎ（ｘ）を次式によって計算し、
【数１２】
0006661633.tif 000012
前記正極性グレースケール電圧Ｖｐ（ｘ）と前記負極性グレースケール電圧Ｖｎ（ｘ）を前記グレースケール電圧補正値Ｃｐ（ｘ）およびＣｎ（ｘ）で次式のように補正し、
【数１３】
0006661633.tif 000013
前記その他の画素電極の補正後の正極性グレースケール電圧Ｖｐ（ｘ）'と補正後の負極性グレースケール電圧Ｖｎ（ｘ）'をそれぞれ取得し、
前記基準画素電極には前記最適な正極性グレースケール電圧Ｖｐ（μ）および前記最適な負極性グレースケール電圧Ｖｎ（μ）を印加し、
前記基準画素電極以外のその他の画素電極には前記補正後の正極性グレースケール電圧Ｖｐ（ｘ）'および前記補正後の負極性グレースケール電圧Ｖｎ（ｘ）'を印加し、
さらに、
前記基準位置点Ｏの前記共通電圧Ｖｃｏｍ（μ）が前記最適な共通電圧となった状態のとき、前記共通電圧の電圧分布Ｖｃｏｍ（ｘ）がガウス分布である場合には、前記基準位置点Ｏ以外のその他の位置点の前記共通電圧の実電圧値Ｖｃｏｍ（ｘ）を、ガウス関数と、前記基準位置点の前記最適な共通電圧Ｖｃｏｍ（μ）と、前記基準位置点Ｏ以外のその他の位置点の座標ｘと、に基づいて次式により算出する
【数１４】
0006661633.tif 000014
ことを特徴とするグレースケール電圧の補正方法。
【発明の詳細な説明】
【技術分野】
【０００１】
本発明は、液晶表示の技術分野に関し、具体的には駆動電圧の技術分野に関し、特に、液晶表示パネル及びそのグレースケール電圧の補正方法に関する。
【背景技術】
【０００２】
光電表示の技術がますます定着するのに伴い、液晶表示パネルは、最も幅広く使用されているタブレット表示装置となっている。液晶表示パネルの表示画面が確実に正常に表示されるようにするため、画素グレースケールを表示する時に利用するのは、共通電圧とグレースケール電圧の間の電圧差であるとともに、異なる電圧差を使って異なるグレースケールを表示する。そのうち、液晶分子が分極されるのを防ぐため、グレースケール電圧は、正極性と負極性を反転させ、交流方式で駆動する必要がある。
【０００３】
しかしながら、液晶表示パネルは、製造プロセスにばらつきがあり、位置によって負荷が異なるため、共通電極（Ｖ−ｃｏｍ）が均一でなくなり、正極性と負極性のグレースケール電圧と共通電圧の間の電圧差が均一ではなくなる。例えば、同じグレースケール方向上で表示面板の中心点から遠くなればなるほど、電圧差は大きくなり、正極性と負極性のグレースケール電圧が反転する時、フリッカー（Ｆｌｉｃｋｅｒ）現象が生じ、液晶表示パネルの表示效果に影響を及ぼす。
【発明の概要】
【発明が解決しようとする課題】
【０００４】
本発明は、液晶表示パネルに表示する時のフリッカー現象を防止し、表示效果を向上させる液晶表示パネル及びそのグレースケール電圧の補正方法を提供することを目的とする。
【課題を解決するための手段】
【０００５】
上述の技術問題を解決するため、本発明が採用する技術案は、液晶表示パネルのグレースケール電圧の補正方法を提供する。液晶表示パネルには交流駆動方式が採用され、液晶表示パネルは、共通電極と、共通電極と向かい合わせに設置された複数の画素電極と、からなる。そのうち、共通電極には共通電圧を印加し、複数の画素電極にはグレースケール値に対応するグレースケール電圧を印加する。グレースケール電圧は、正極性のグレースケール電圧と負極性のグレースケール電圧を備え、グレースケール電圧の補正方法は、以下の手順を備える。共通電極における共通電圧の実電圧分布を取得する手順（この手順は、共通電極上で基準位置点を選択する手順を備える）。基準位置点の場所の共通電圧及び基準位置と向かい合う基準画素電極上の正極性グレースケール電圧と負極性グレースケール電圧を調整することによって、基準画素電極の場所に対応する最適な共通電圧、最適な正極性グレースケール電圧と最適な負極性グレースケール電圧を取得する手順。基準位置点の場所の共通電圧が最適な共通電圧である時、基準位置点以外のその他の位置点の共通電圧の実電圧値を確定する手順。実電圧分布に基づいて、各画素電極の正極性グレースケール電圧と負極性グレースケール電圧をそれぞれ補正し、同じグレースケール値に対して、各画素電極上の補正後の正極性グレースケール電圧と共通電極における各画素電極に向かい合う位置の共通電圧との間の階差と、各画素電極上の補正後の負極性グレースケール電圧と向かい合う位置の共通電圧との間の階差を同じにする手順。また、実電圧分布に基づいて、各画素電極の正極性グレースケール電圧と負極性グレースケール電圧をそれぞれ補正する手順は、以下の手順を備える。共通電極における基準画素電極以外のその他の画素電極に向かい合う位置の共通電圧の実電圧値に基づいて、最適な正極性グレースケール電圧と最適な負極性グレースケール電圧を補正し、さらにその他の画素電極が対応する補正後の正極性グレースケール電圧と補正後の負極性グレースケール電圧をそれぞれ取得する手順。
【０００６】
そのうち、共通電極における共通電圧の実電圧分布を取得する手順は、さらに以下の手順を備える。実電圧値に基づいて、共通電極における座標変化に伴う共通電圧の電圧分布関数を確定する手順。また、共通電極における基準画素電極以外のその他の画素電極に向かい合う位置の共通電圧の実電圧値に基づいて、最適な正極性グレースケール電圧と最適な負極性グレースケール電圧を補正する手順は、以下の手順を備える。電圧分布関数及びその他の画素電極の共通電極上の向かい合う位置の座標に基づいて、共通電圧の向かい合う位置の実電圧値を計算する手順。実電圧に基づいて、その他の各画素電極のグレースケール電圧の補正値を計算する手順。グレースケール電圧補正値に基づいて、最適な正極性グレースケール電圧と最適な負極性グレースケール電圧を補正することによって、その他の画素電極が対応する補正後の正極性グレースケール電圧と補正後の負極性グレースケール電圧をそれぞれ取得する手順。
【０００７】
そのうち、電圧分布関数は、ガウス関数である。
【０００８】
上述の技術問題を解決するため、本発明が採用する別の技術案は、液晶表示パネルのグレースケール電圧の補正方法を提供する。液晶表示パネルは、共通電極と、共通電極と向かい合って設置された複数の画素電極と、からなる。そのうち、共通電極には共通電圧を印加し、複数の画素電極にはグレースケール値と対応するグレースケール電圧を印加する。グレースケール電圧は、正極性グレースケール電圧と負極性グレースケール電圧を備え、グレースケール電圧の補正方法は、以下の手順を備える。共通電極における共通電圧の実電圧分布を取得する手順。実電圧分布に基づいて、各画素電極の正極性グレースケール電圧と負極性グレースケール電圧をそれぞれ補正し、同じグレースケール値に対して、各画素電極上の補正後の正極性グレースケール電圧と共通電極における各画素電極に向かい合う位置の共通電圧のと間の階差を、各画素電極上の補正後の負極性グレースケール電圧と向かい合う位置の共通電圧との間の階差を同じにする手順。
【０００９】
そのうち、共通電極における共通電圧の実電圧分布を取得する手順は、以下の手順を備える。共通電極上で基準位置点を選択する手順。基準位置点の場所の共通電圧及び基準位置と向かい合う基準画素電極上の正極性グレースケール電圧と負極性グレースケール電圧を調整することによって、基準画素電極が対応する最適な共通電圧、最適な正極性グレースケール電圧と最適な負極性グレースケール電圧を取得する手順。基準位置点の共通電圧が最適な共通電圧である時、基準位置点以外のその他の位置点の共通電圧の実電圧値を確定する手順。
【００１０】
実電圧分布に基づいて、各画素電極の正極性グレースケール電圧と負極性グレースケール電圧をそれぞれ補正する手順は、以下の手順を備える。共通電極における基準画素電極以外のその他の画素電極に向かい合う位置の共通電圧の実電圧値に基づいて、最適な正極性グレースケール電圧と最適な負極性グレースケール電圧を補正し、さらにその他の画素電極に対応する補正後の正極性グレースケール電圧と補正後の負極性グレースケール電圧をそれぞれ取得する手順。
【００１１】
そのうち、共通電極における共通電圧の実電圧分布を取得する手順は、さらに以下の手順を備える。実電圧値に基づいて、共通電極における座標変化に伴う共通電圧の電圧分布関数を確定する手順。共通電極における基準画素電極以外のその他の画素電極に向かい合う位置の共通電圧の実電圧値に基づいて、最適な正極性グレースケール電圧と最適な負極性グレースケール電圧を補正する手順は、以下の手順を備える。電圧分布関数及び共通電極におけるその他の画素電極に向かい合う位置の座標に基づいて、共通電圧の向かい合う位置の実電圧値を計算する手順。実電圧に基づいて、その他の各画素電極のグレースケール電圧の補正値を計算する手順。グレースケール電圧の補正値に基づいて、最適な正極性グレースケール電圧と最適な負極性グレースケール電圧を補正することによって、その他の画素電極が対応する補正後の正極性グレースケール電圧と補正後の負極性グレースケール電圧をそれぞれ取得する手順。
【００１２】
そのうち、電圧分布関数は、ガウス関数である。
【００１３】
そのうち、共通電極における共通電圧の実電圧分布を取得する手順は、さらに以下の手順を備える。その他の画素電極と共通電極が向かい合う位置の共通電圧の実電圧に基づいて、前記その他の各画素電極のグレースケール電圧の補正値を計算する手順。ルックアップテーブル形式でグレースケール電圧の補正値を保存する手順。共通電極における基準画素電極以外のその他の画素電極に向かい合う位置の実電圧に基づいて、最適な正極性グレースケール電圧と最適な負極性グレースケール電圧を補正する手順は、以下の手順を備える。ルックアップテーブルに基づいて、その他の各画素電極のグレースケール電圧の補正値を調べる手順。グレースケール電圧の補正値に基づいて、最適な正極性グレースケール電圧と最適な負極性グレースケール電圧を補正することによって、その他の画素電極が対応する補正後の正極性グレースケール電圧と補正後の負極性グレースケール電圧をそれぞれ取得する手順。
【００１４】
そのうち、ルックアップテーブル形式でグレースケール電圧の補正値を保存する手順は、以下の手順を備える。その他の画素電極中の複数の隣り合う画素電極のグレースケール電圧の補正値を平均することによって、平均グレースケール電圧の補正値を取得する手順。ルックアップテーブル形式で平均グレースケール電圧の補正値を保存する手順。グレースケール電圧の補正値に基づいて、最適な正極性グレースケール電圧と最適な負極性グレースケール電圧を補正する手順は、以下の手順を備える。平均グレースケール電圧の補正値を利用して、最適な正極性グレースケール電圧と最適な負極性グレースケール電圧を補正することによって、複数の隣り合う画素電極が対応する補正後の正極性グレースケール電圧と補正後の負極性グレースケール電圧をそれぞれ取得する手順。
【００１５】
上述の技術問題を解決するため、本発明が採用するさらに別の技術案は、共通電極と、共通電極と向かい合って設置された複数の画素電極と、からなる液晶表示パネルを提供する。そのうち、共通電極には共通電圧を印加し、各画素電極にはグレースケール値に対応するグレースケール電圧を印加する。グレースケール電圧は、正極性グレースケール電圧と負極性グレースケール電圧を備える。液晶パネルは、さらに記憶装置と、グレースケール電圧補正装置と、を備える。記憶装置は、共通電極における共通電圧の実電圧分布を示すデータを保存するのに用いられる。グレースケール電圧補正装置は、実電圧分布に基づいて、各画素電極の正極性グレースケール電圧と負極性グレースケール電圧をそれぞれ補正し、同じグレースケール値に対し、各画素電極上の補正後の正極性グレースケール電圧と共通電極における各画素電極に向かい合う位置の共通電圧との間の階差と、各画素電極上の補正後の負極性グレースケール電圧と向かい合う位置の共通電圧との間の階差を同じにするのに用いられる。
【００１６】
そのうち、記憶装置は、共通電極における座標変化に伴う共通電圧の電圧分布関数を保存し、グレースケール電圧補正装置は、電圧分布関数及び各画素電極の共通電極上の向かい合う位置の座標に基づいて、共通電圧の向かい合う位置の実電圧値を計算するとともに、実電圧に基づいて、各画素電極のグレースケール電圧の補正値を計算し、さらにグレースケール電圧の補正値に基づいて、各画素電極の正極性グレースケール電圧と負極性グレースケール電圧を補正する。
【００１７】
そのうち、記憶装置は、ルックアップテーブルを保存し、ルックアップテーブルは、実電圧分布によって計算された各画素電極に対応するグレースケール電圧の補正値を備える。グレースケール電圧補正装置は、ルックアップテーブルに基づいて、各画素電極のグレースケール電圧の補正値を調べるとともに、さらにグレースケール電圧の補正値に基づいて、各画素電極の正極性グレースケール電圧と負極性グレースケール電圧を補正する。
【００１８】
そのうち、ルックアップテーブルは、複数の隣り合う画素電極のグレースケール電圧の補正値を平均して取得された平均グレースケール電圧の補正値を備える。グレースケール電圧補正装置は、平均グレースケール電圧補正値に基づいて、複数の隣り合う画素電極の正極性グレースケール電圧と負極性グレースケール電圧を補正する。
【発明の効果】
【００１９】
上述の技術案により、本発明の実施例は、実電圧分布に基づいて、各画素電極の正極性と負極性のグレースケール電圧をそれぞれ補正し、同じグレースケール値に対して、補正後の正極性グレースケール電圧と共通電圧との階差を、補正後の負極性グレースケール電圧と共通電圧との階差と、同じにすることによって、液晶表示パネル表示時のフリッカー現象を防ぎ、表示效果を向上させる。
【図面の簡単な説明】
【００２０】
【図１】本発明の実施例１におけるグレースケール電圧の補正方法の流れ図である。
【図２】本発明の好ましい実施例における液晶表示パネルの構造の断面図である。
【図３】本発明の実施例２におけるグレースケール電圧の補正方法の流れ図である。
【図４】本発明における同じグレースケール方向の共通電圧と、正極性グレースケール電圧と負極性グレースケール電圧の画素電極に対応する位置の座標との関係を示した図である。
【図５】本発明の実施例３におけるグレースケール電圧の補正方法の流れ図である。
【図６】本発明の実施例４におけるグレースケール電圧の補正方法の流れ図である。
【発明を実施するための形態】
【００２１】
以下に本発明の実施例中の図と組み合わせて、本発明の実施例における技術案について、分かりやすく全て説明する。明らかな点として、本発明が以下に描写する実施例は、本発明の一部の実施例に過ぎず、全ての実施例ではない。本発明の実施例に基づいて、本領域の一般の技術者が創造力を働かせずに取得した全てのその他の実施例は、全て本発明の保護範囲内に含まれるものとする。
【００２２】
初めに、本発明は、図１に示す実施例１におけるグレースケール電圧の補正方法を提供し、前記補正方法は、図２に示す交流駆動方式を採用した液晶表示パネル２０のグレースケール電圧を補正するのに用いられる。図２に示すように、液晶表示パネル２０は、液晶層２１と、カラーフィルタ基板２２上に設置される共通電極２２１と、アレイ基板２３上に設置される複数の画素電極２３１と、からなる。共通電極２２１と複数の画素電極２３１は、向かい合わせに設置され、共通電極２２１に共通電圧が印加され、複数の画素電極２３１にグレースケール電圧が印加される。グレースケール電圧は、正極性グレースケール電圧と負極性グレースケール電圧を備えるため、グレースケール電圧の補正は、正極性グレースケール電圧と負極性グレースケール電圧の補正である。
【００２３】
図１と図２を参照する。本実施例のグレースケール電圧の補正方法は、以下の手順を備える。
【００２４】
手順Ｓ１１は、共通電極２２１における共通電圧の実電圧分布を取得する。
【００２５】
手順Ｓ１２は、実電圧分布に基づいて、各画素電極２３１の正極性グレースケール電圧と負極性グレースケール電圧をそれぞれ補正することによって、同じグレースケール値に対して、各画素電極２３１上の補正後の正極性グレースケール電圧及び共通電極２２１における各画素電極２３１に向かい合う位置の共通電圧との間の階差と、各画素電極２３１上の補正後の負極性グレースケール電圧及び向かい合う位置の共通電圧との間の階差を、同じにする。
【００２６】
補正後の正極性グレースケール電圧と負極性グレースケール電圧は、向かい合う位置の共通電圧との間の階差とそれぞれ同じであることによって、液晶表示パネル２０は対応して各グレースケールを表示する時、フリッカー現象が生じず、その表示效果が向上する。
【００２７】
さらに、本発明は、図３に示す実施例２におけるグレースケール電圧の補正方法を提供する。実施例１に基づいて、説明する。そのうち手順Ｓ３１〜３３と手順Ｓ３４は、実施例１の手順Ｓ１１と手順Ｓ１２に対応する。異なる点として、本実施例では、同じグレースケール方向上の位置点を選択して基準位置点とし、前記基準位置点が対応する正極性グレースケール電圧と負極性グレースケール電圧と、共通電圧との階差を参考値とすることによって、同じグレースケール方向上の基準位置点以外のその他の位置点のグレースケール電圧を補正する。
【００２８】
図３を参照する。本実施例のグレースケール電圧の補正方法は、以下の手順を備える。
【００２９】
手順Ｓ３１は、共通電極２２１上で基準位置点Ｏを選択する。
【００３０】
図４に示すように、横座標軸は、同じグレースケール方向上の共通電極２２１の位置点、座標ｘであり、縦座標軸は電圧ｖであり、曲線Ｌ１は、補正後の正極性グレースケール電圧を表し、曲線Ｌ２は、共通電極２２１上の共通電圧を表し、曲線Ｌ３は、補正後の正極性グレースケール電圧を表し、同じグレースケール値に対して、前記グレースケール値が対応するグレースケール方向に沿う共通電極２２１の中心点は、基準位置点Ｏであることが好ましい。
【００３１】
手順Ｓ３２では、基準位置点Ｏの共通電圧及び基準位置点Ｏと向かい合う基準画素電極上の正極性グレースケール電圧と負極性グレースケール電圧を調整することによって、基準画素電極が対応する最適な共通電圧、最適な正極性グレースケール電圧と最適な負極性グレースケール電圧を取得する。
【００３２】
そのうち、液晶表示パネル２０が表示される時、基準位置点Ｏに対応するグレースケール値は最適であり、基準位置点Ｏと向かい合う基準画素電極が対応するのは最適な正極性グレースケール電圧と最適な負極性グレースケール電圧である。
【００３３】
手順Ｓ３３では、基準位置点の共通電圧が最適な共通電圧である時、基準位置点以外のその他の位置点の共通電圧の実電圧値を確定する。
【００３４】
手順Ｓ３４では、共通電極２２１における基準画素電極以外のその他の画素電極に向かい合う位置の共通電圧の実電圧値に基づいて、最適な正極性グレースケール電圧と最適な負極性グレースケール電圧を補正し、さらにその他の画素電極が対応する補正後の正極性グレースケール電圧と補正後の負極性グレースケール電圧をそれぞれ取得する。
【００３５】
図４に示すように、例えば基準位置点Ｏの最適な共通電圧はΔＶＰ1であり、最適な正極性グレースケール電圧はΔＶＰ２であり、最適な負極性グレースケール電圧はΔＶＰ３であり、その他の位置点Ａの共通電圧の実電圧値はΔＶＰ４であり、基準位置点Ｏの最適な正極性グレースケール電圧ΔＶＰ２と最適な共通電圧ΔＶｐ1の階差は、最適な負極性グレースケール電圧ΔＶＰ３と最適な共通電圧ΔＶｐ1の階差と同じであり、ΔＶＰ２−ΔＶＰ１＝ΔＶＰ3−ΔＶＰ1である。
【００３６】
最適な正極性グレースケール電圧ΔＶＰ２の補正電圧ＣＰ（x）を大きくするまたは小さくするとともに、最適な負極性グレースケール電圧ΔＶＰ３の補正電圧Ｃｎ（x）を大きくするまたは小さくすることによって、補正後の正極性グレースケール電圧を、ΔＶＰ２±CＰ（x）−ΔＶＰ４＝ΔＶＰ３±Ｃｎ（x）−ΔＶＰ４にできる。
【００３７】
補正電圧ＣＰ（x）と補正電圧Ｃｎ（x）を算出するため、本発明は、さらに図５に示す実施例３におけるグレースケール電圧の補正方法を提供する。実施例２の補正方法に基づいて説明する。共通電極２２１における座標変化に伴う共通電圧の電圧分布関数がガウス関数である場合に適用される。
【００３８】
図５を参照する。本実施例のグレースケール電圧の補正方法は、以下の手順を備える。
【００３９】
手順Ｓ５１では、共通電極２２１上で基準位置点Ｏを選択する。
【００４０】
手順Ｓ５２では、基準位置点Ｏの共通電圧及び基準位置点Ｏと向かい合う基準画素電極上の正極性グレースケール電圧と負極性グレースケール電圧を調整することによって、基準画素電極が対応する最適な共通電圧、最適な正極性グレースケール電圧と最適な負極性グレースケール電圧を取得する。
【００４１】
手順Ｓ５３では、基準位置点Ｏの共通電圧が最適な共通電圧の時、基準位置点Ｏ以外のその他の位置点の共通電圧の実電圧値を確定する。
【００４２】
手順Ｓ５４では、実電圧値に基づいて、共通電極２２１における座標変化に伴う共通電圧の電圧分布関数を確定する。
【００４３】
手順Ｓ５５では、電圧分布関数及びその他の画素電極の共通電極２２１上の向かい合う位置の座標に基づいて、共通電圧の向かい合う位置の実電圧値を計算する。
【００４４】
手順Ｓ５６では、実電圧に基づいて、その他の各画素電極のグレースケール電圧の補正値を計算する。
【００４５】
手順Ｓ５７では、グレースケール電圧の補正値に基づいて、最適な正極性グレースケール電圧と最適な負極性グレースケール電圧を補正することによって、その他の画素電極が対応する補正後の正極性グレースケール電圧と補正後の負極性グレースケール電圧をそれぞれ取得する。
【００４６】
仮に同じグレースケール値に対して、Ｖｐ（ｘ）は正極性グレースケール電圧を表し、Ｖｎ（ｘ）は負極性グレースケール電圧を表し、Ｃｐ（ｘ）は正極性グレースケール電圧の補正電圧を表し、Ｃｎ（ｘ）は負極性グレースケール電圧の補正電圧を表し、Ｖ'ｐ（ｘ）は補正後の正極性グレースケール電圧を表し、Ｖ'ｎ（ｘ）は補正後の負極性グレースケール電圧を表すとする。そのうちｘはグレースケール方向に沿った任意の位置点の座標（基準位置点Ｏとその他の画素電極に対応する位置点を含む）を表すとすると、補正前後の関係式５−１、
【数１】
0006661633.tif 000002
と関係式５−２、
【数２】
0006661633.tif 000003
を取得することができる。
【００４７】
同じ位置点の表示輝度を同じに保つため、正極性グレースケール電圧の補正電圧と負極性グレースケール電圧の補正電圧は同じであり、関係式
【数３】
0006661633.tif 000004
を取得することができる。
【００４８】
そのうち、Ｃ（ｘ）は仮定数を表す。
【００４９】
関係式５−３と、関係式５−１と関係式５−２を組み合わせることで、関係式
【数４】
0006661633.tif 000005
を取得することができる。
【００５０】
共通電極２２１における座標変化に伴う共通電圧の電圧分布関数が、ガウス関数である時、各位置点の画素電極２３１が対応する最適な共通電圧も、基準位置点Ｏの画素電極２３１が対応する最適な共通電圧に対して、ガウス関数分布を呈する。よって、ガウス関数に基づき関係式
【数５】
0006661633.tif 000006
を取得することができる。
【００５１】
そのうち、μは、グレースケール方向に沿った基準位置点Ｏの座標を表し、Ｖｃｏｍ（x）は、座標ｘの共通電圧を表し、Ｖｃｏｍ（μ）は、座標μの共通電圧を表し、σは、ガウス分布値を表すとともに、液晶表示パネル２０の特徴に基づき、Ａはガウス係数である。
【００５２】
関係式５−５と関係式５−４を組み合わせると、関係式
【数６】
0006661633.tif 000007
を取得することができる。
【００５３】
関係式５−６と関係式５−３を組み合わせることで、任意の位置点ｘの画素電極２３１が対応する正極性グレースケール電圧の補正電圧Ｃｐ（x）と負極性グレースケール電圧の補正電圧Ｃｎ（x）を取得する。
【００５４】
共通電極２２１における座標変化に伴う共通電圧の電圧分布関数がガウス関数ではない時、本発明はさらに図６に示す実施例４のグレースケール電圧の補正方法を提供する。実施例２の補正方法に基づいて説明することで、正極性グレースケール電圧の補正電圧Ｃｐ（x）と負極性グレースケール電圧の補正電圧Ｃｎ（x）を取得することができる。
【００５５】
図６を参照する。本実施例のグレースケール電圧の補正方法は、以下の手順を備える。
【００５６】
手順Ｓ６１では、共通電極２２１上で基準位置点Ｏを選択する。
【００５７】
手順Ｓ６２では、基準位置点Ｏの共通電圧及び基準位置点Ｏと向かい合う基準画素電極上の正極性グレースケール電圧と負極性グレースケール電圧を調整することによって、基準画素電極が対応する最適な共通電圧、最適な正極性グレースケール電圧と最適な負極性グレースケール電圧を取得する。
【００５８】
手順Ｓ６３では、基準位置点Ｏの共通電圧が最適な共通電圧である時、基準位置点Ｏ以外のその他の位置点の共通電圧の実電圧値を確定する。
【００５９】
手順Ｓ６４では、その他の画素電極と共通電極２２１と向かい合う位置の共通電圧の実電圧値に基づいて、その他の各画素電極のグレースケール電圧補正値を計算する。
【００６０】
手順Ｓ６５では、ルックアップテーブル形式でグレースケール電圧の補正値を保存する。
【００６１】
本実施例において、その他の画素電極中の複数の隣り合う画素電極２３１のグレースケール電圧補正値を平均することによって、平均グレースケール電圧補正値を取得するとともに、ルックアップテーブル形式で平均グレースケール電圧の補正値を保存することが好ましい。
【００６２】
具体的には、関係式５−１〜関係式５−４を参照する。グレースケール方向上にＮ個の任意の位置点ｘ（対応する画素電極２３１）を備えるとすると、ｋ個の隣り合う画素電極２３１のグレースケール電圧補正値を平均することで、取得される平均グレースケール電圧補正値は、関係式
【数７】
0006661633.tif 000008
となる。
【００６３】
そのうち、
【数８】
0006661633.tif 000009
である。
【００６４】
手順Ｓ６６では、グレースケール電圧の補正値に基づいて、最適な正極性グレースケール電圧と最適な負極性グレースケール電圧を補正することによって、その他の画素電極が対応する補正後の正極性グレースケール電圧と補正後の負極性グレースケール電圧をそれぞれ取得する。
【００６５】
本実施例は、平均グレースケール電圧補正値を利用して最適な正極性グレースケール電圧と最適な負極性グレースケール電圧を補正することによって、複数の隣り合う画素電極２３１が対応する補正後の正極性グレースケール電圧と補正後の負極性グレースケール電圧をそれぞれ取得する。
【００６６】
関係式６−１に基づき、補正後の正極性グレースケール電圧である関係式
【数９】
0006661633.tif 000010
と、補正後の負極性グレースケール電圧である関係式
【数１０】
0006661633.tif 000011
を取得することができる。
【００６７】
指摘すべき点として、本実施例のグレースケール電圧の補正方法は、ルックアップテーブル形式でグレースケール電圧の補正値を保存する時、調べる必要のある補正後の正極性グレースケール電圧と補正後の負極性グレースケール電圧が対応する画素電極２３１の数を減らすことができる。
【００６８】
最後に、本発明は、液晶表示パネルを提供する。再び図２を参照する。液晶表示パネル２０は、上述に基づいて、さらに記憶装置２４と、グレースケール電圧補正装置２５と、を備える。そのうち、記憶装置２４は、共通電極２２１における共通電圧の実電圧分布を示すデータを保存するのに用いられ、グレースケール電圧補正装置２５は、実電圧分布に基づいて、各画素電極２３１の正極性グレースケール電圧と負極性グレースケール電圧をそれぞれ補正するのに用いられる。
【００６９】
実施例において、図５に示すように実施例３の補正方法の時、記憶装置２４は、共通電極２２１における座標変化に伴う共通電圧の電圧分布関数を保存し、グレースケール電圧補正装置２５は、電圧分布関数及び各画素電極２３１の共通電極２２１上の向かい合う位置の座標に基づいて、共通電圧の向かい合う位置の実電圧値を計算するとともに、実電圧に基づいて、各画素電極２３１のグレースケール電圧補正値を計算する。さらにグレースケール電圧補正値に基づいて、各画素電極２３１の正極性グレースケール電圧と負極性グレースケール電圧を補正する。
【００７０】
実施例において図６に示す実施例４の補正方法の時、記憶装置２４は、ルックアップテーブルを保存し、ルックアップテーブルは、実電圧分布によって計算された各画素電極２３１に対応するグレースケール電圧補正値を備え、ルックアップテーブルは、複数の隣り合う画素電極２３１のグレースケール電圧補正値を平均して取得された平均グレースケール電圧補正値を備えることが好ましい。
【００７１】
グレースケール電圧補正装置２５は、ルックアップテーブルに基づいて、各画素電極２３１のグレースケール電圧補正値を調べるとともに、さらにグレースケール電圧補正値に基づいて、各画素電極２３１の正極性グレースケール電圧と負極性グレースケール電圧を補正する。グレースケール電圧補正装置２５は、平均グレースケール電圧補正値に基づいて、複数の隣り合う画素電極２３１の正極性グレースケール電圧と負極性グレースケール電圧を補正することが好ましい。
【００７２】
繰り返し説明するが、上述は、本発明の実施例に過ぎず、これによって本発明の特許請求の範囲が制限されるわけではなく、本発明の説明書及び図の内容を利用して行われた同等の構造または同等の工程の変更全て、例えば各実施例間の技術的な特徴を互いに交えたり、直接または間接的にその他の関連する技術領域で運用したりするなどはどれも同様に本発明の特許請求の保護範囲内に含まれるものとする。
【符号の説明】
【００７３】
２０  液晶表示パネル
２１  液晶層
２２  カラーフィルタ基板
２３  アレイ基板
２４  記憶装置
２５  グレースケール電圧補正装置
２２１  共通電極
２３１  画素電極
Ｏ  基準位置点
【図１】
0006661633.tif 000015
【図２】
0006661633.tif 000016
【図３】
0006661633.tif 000017
【図４】
0006661633.tif 000018
【図５】
0006661633.tif 000019
【図６】
0006661633.tif 000020